(57)【特許請求の範囲】
【請求項１】
共通物理チャネルを用いて複数の無線受信装置宛てのデータのマルチキャストまたはブロードキャストを行う無線送信装置であって、
前記複数の無線受信装置の各々の受信品質情報を取得する取得手段と、
前記共通物理チャネルの複数のサブチャネルのうち前記データのマルチキャストまたはブロードキャストに用いるサブチャネルを、取得された受信品質情報に基づいて切替可能に設定する設定手段と、
設定されたサブチャネルの送信電力を制御する制御手段と、
を有する無線送信装置。
【請求項２】
前記複数のサブチャネルは、周波数が互いに異なる複数のサブキャリアにそれぞれ対応し、
前記設定手段は、
取得された受信品質情報に基づいて、前記複数のサブキャリアのいずれかを選択する選択手段を有し、
選択されたサブキャリアによって特定されたサブチャネルを、前記データのマルチキャストまたはブロードキャストに用いるサブチャネルとして決定する、
請求項１記載の無線送信装置。
【請求項３】
前記選択手段は、
前記複数の無線受信装置でのサブキャリア毎の受信品質の中で最も低いものをサブキャリア毎に抽出し、サブキャリア毎に抽出された受信品質の中で最も高いものに対応するサブキャリアを選択する、
請求項２記載の無線送信装置。
【請求項４】
前記制御手段は、
前記データのマルチキャストまたはブロードキャストにおける所要受信品質を満たすように、送信電力の制御を行う、
請求項３記載の無線送信装置。
【請求項５】
前記選択手段は、
前記複数のサブキャリアのうち最も受信品質の高いサブキャリアを選択する、
請求項２記載の無線送信装置。
【請求項６】
前記選択手段は、
前記複数の無線受信装置に対して前記データのマルチキャストまたはブロードキャストを行うときに必要な送信電力が前記複数のサブキャリアの中で最も小さいサブキャリアを選択する、
請求項２記載の無線送信装置。
【請求項７】
前記複数の無線受信装置のいずれかを指定する指定手段を有し、
前記選択手段は、
取得された受信品質情報のうち、指定された無線受信装置の受信品質情報に基づいて、サブキャリアの選択を行う、
請求項２記載の無線送信装置。
【請求項８】
前記指定手段は、
前記複数の無線受信装置のうち受信品質が閾値以下の無線受信装置を特定することによって、無線受信装置の指定を行う、
請求項７記載の無線送信装置。
【請求項９】
前記指定手段は、
前記複数のサブキャリアの平均受信品質が前記閾値以下の無線受信装置を特定する、
請求項８記載の無線送信装置。
【請求項１０】
前記閾値の設定を、前記複数の無線受信装置の数に従って制御する制御手段を有する、
請求項８記載の無線送信装置。
【請求項１１】
前記指定手段は、
前記複数の無線受信装置のうちセル境界付近に位置する無線受信装置を特定することによって、無線受信装置の指定を行う、
請求項７記載の無線送信装置。
【請求項１２】
指定された無線受信装置のみに、選択すべきサブキャリアの報告を要求する要求手段を有する、
請求項７記載の無線送信装置。
【請求項１３】
指定された無線受信装置のみに、選択候補としてのサブキャリアの報告を要求する要求手段を有する、
請求項７記載の無線送信装置。
【請求項１４】
指定された無線受信装置のみに、選択候補としてのサブキャリアおよび前記選択候補としてのサブキャリアに対応する受信品質の報告を要求する要求手段を有する、
請求項７記載の無線送信装置。
【請求項１５】
サブキャリア毎の受信品質を報告するか否かについての判定に用いる閾値を、指定された無線受信装置に通知する通知手段を有する、
請求項７記載の無線送信装置。
【請求項１６】
前記閾値の設定を、前記複数の無線受信装置の数に従って制御する制御手段を有する、
請求項１５記載の無線送信装置。
【請求項１７】
前記指定手段は、
前記複数の無線受信装置のうち最も受信品質の低い無線受信装置を特定することによって、無線受信装置の指定を行う、
請求項７記載の無線送信装置。
【請求項１８】
前記指定手段は、
前記複数のサブキャリアの平均受信品質が最も低い無線受信装置を特定する、
請求項１７記載の無線送信装置。
【請求項１９】
前記指定手段は、
前記データのマルチキャストまたはブロードキャストを行うときに必要な送信電力が前記複数の無線受信装置の中で最も大きい無線受信装置を特定することによって、無線受信装置の指定を行う、
請求項７記載の無線送信装置。
【請求項２０】
前記指定手段は、
前記複数の無線受信装置の中で最も遠くに位置する無線受信装置を特定することによっ
て、無線受信装置の指定を行う、
請求項７記載の無線送信装置。
【請求項２１】
請求項１記載の無線送信装置を有する基地局装置。
【請求項２２】
共通物理チャネルを用いて複数の無線受信装置宛てのデータのマルチキャストまたはブロードキャストを行う無線送信装置における無線送信方法であって、
前記複数の無線受信装置の各々の受信品質情報を取得する取得ステップと、
前記共通物理チャネルの複数のサブチャネルのうち前記データのマルチキャストまたはブロードキャストに用いるサブチャネルを、取得した受信品質情報に基づいて切替可能に設定する設定ステップと、
設定したサブチャネルの送信電力を制御する制御ステップと、
を有する無線送信方法。
【発明の詳細な説明】
【技術分野】
【０００１】
本発明は、無線送信装置および無線送信方法に関し、特に、移動体通信システムにおいてマルチキャストまたはブロードキャストを行うために用いられる無線送信装置および無線送信方法に関する。
【背景技術】
【０００２】
移動体通信の分野においては、最近、マルチメディア・ブロードキャスト／マルチキャスト・サービス（Multimedia Broadcast/Multicast Service：以下「ＭＢＭＳ」と言う）に関する技術的な検討が行われている（例えば、非特許文献１参照）。ＭＢＭＳで行われる通信は、一対一（Point to Point: P-to-P）型の通信ではなく、一対多（Point to Multi: P-to-M）型の通信となる。一対一型の通信としては例えばユニキャストが挙げられ、一対多型の通信としては例えばマルチキャストやブロードキャストが挙げられる。すなわち、ＭＢＭＳでは、一つの送信装置が複数の受信装置に対して同じ内容のデータ（例えば、音楽データやテレビ番組など）を同時に配信する。
【０００３】
ところで、例えばセルラーシステムなどの移動体通信システムにおいて、無線送信装置（例えば基地局装置）と無線受信装置（例えば移動局装置）との間で無線信号が送信されるときに用いられる物理チャネル（以下、単に「チャネル」と言う）は、大別して、個別物理チャネル（以下、単に「個別チャネル」と言う）または共通物理チャネル（以下、単に「共通チャネル」と言う）のいずれかである。これらのチャネルのうち、共通チャネルを用いた無線送信が行われるとき、その送信電力は、予め決められたレベルに設定される。
【０００４】
ＭＢＭＳを提供するために用いられる従来の無線送信装置および無線送信方法では、これらのチャネルのうち共通チャネルを用いてマルチキャストやブロードキャストを行うことがある。
【非特許文献１】3GPP TS 22.146 V6.0.0(2002-06): 3rd Generation Partnership Project; Technical Specification Group Services and System Aspects; Multimedia Broadcast/Multicast Service; Stage 1(Release 6) 2002年6月
【発明の開示】
【発明が解決しようとする課題】
【０００５】
しかしながら、上記従来の無線送信装置および無線送信方法においては、セル内に位置する無線受信装置のうち対象受信者たる無線受信装置に対して確実にデータの配信を行うために、対象受信者たる無線受信装置において一定水準以上の受信品質を確保する必要がある。
【０００６】
これを実現するために、セル内の全ての無線受信装置での受信品質（例えば、受信誤り率特性）が一定の水準よりも良くなるように、共通チャネルの送信電力を予め増大したとする。この場合、他のセルに与える干渉が増大しシステム容量が減少してしまう。また、一般に、無線送信装置で使用可能な送信電力には上限があるので、共通チャネルの送信電力を増大すると、音声通信などを行うために用いられる個別チャネルの収容量も減少してしまう。
【０００７】
本発明の目的は、システム容量または個別チャネル収容量を増大し、且つ、マルチキャストまたはブロードキャストの対象受信者たる無線受信装置に対して確実にデータを配信することができる無線送信装置および無線送信方法を提供することである。
【課題を解決するための手段】
【０００８】
本発明の無線送信装置は、共通物理チャネルを用いて複数の無線受信装置宛てのデータのマルチキャストまたはブロードキャストを行う無線送信装置であって、前記複数の無線受信装置の各々の受信品質情報を取得する取得手段と、前記共通物理チャネルの複数のサブチャネルのうち前記データのマルチキャストまたはブロードキャストに用いるサブチャネルを、取得された受信品質情報に基づいて切替可能に設定する設定手段と、設定されたサブチャネルの送信電力を制御する制御手段と、を有する構成を採る。
【０００９】
本発明の無線送信方法は、共通物理チャネルを用いて複数の無線受信装置宛てのデータのマルチキャストまたはブロードキャストを行う無線送信装置における無線送信方法であって、前記複数の無線受信装置の各々の受信品質情報を取得する取得ステップと、前記共通物理チャネルの複数のサブチャネルのうち前記データのマルチキャストまたはブロードキャストに用いるサブチャネルを、取得した受信品質情報に基づいて切替可能に設定する設定ステップと、設定したサブチャネルの送信電力を制御する制御ステップと、を有するようにした。
【発明の効果】
【００１０】
本発明によれば、システム容量または個別チャネル収容量を増大し、且つ、マルチキャストまたはブロードキャストの対象受信者たる無線受信装置に対して確実にデータを配信することができる。
【発明を実施するための最良の形態】
【００１１】
以下、本発明の実施の形態について、図面を用いて詳細に説明する。
【００１２】
（実施の形態１）
図１は、本発明の実施の形態１に係る無線送信装置を適用した基地局装置の構成を示すブロック図であり、図２は、この基地局装置と無線通信を行う移動局装置の構成を示すブロック図である。図１に示す基地局装置１００および図２に示す移動局装置１５０はそれぞれ、ＯＦＤＭ（Orthogonal Frequency Division Multiplexing）方式を採用している。
【００１３】
基地局装置１００は、アンテナ１０１、受信無線部１０２、Ｋ個（Ｋは２以上の整数）の個別チャネル受信処理部１０３−１、…、１０３−Ｋ、報告ユーザ指定部１０４、Ｋ個の個別チャネル送信処理部１０５−１、…、１０５−Ｋ、共通チャネル送信処理部１０６、共通チャネルサブキャリア選択部１０７、受信品質最低値抽出部１０８、多重部１０９、送信電力制御部１１０、ＩＦＦＴ（Inverse Fast Fourier Transform）部１１１、送信無線部１１２および閾値設定部１１３を有する。
【００１４】
また、個別チャネル受信処理部１０３−１は、ＦＦＴ（Fast Fourier Transform）部１２０−１、復調部１２１−１および復号部１２２−１を有する。個別チャネル受信処理部１０３−１〜１０３−Ｋは、同じ内部構成を有するため、以下の説明では、個別チャネル受信処理部１０３−１〜１０３−Ｋの中の任意のものを個別チャネル受信処理部１０３と言う。また、個別チャネル受信処理部１０３の内部構成をそれぞれ、ＦＦＴ部１２０、復調部１２１および復号部１２２と略記する。
【００１５】
また、個別チャネル送信処理部１０５−１は、変調部１３０−１および符号化部１３１−１を有する。個別チャネル送信処理部１０５−１〜１０５−Ｋは、同じ内部構成を有するため、以下の説明では、個別チャネル送信処理部１０５−１〜１０５−Ｋの中の任意のものを個別チャネル送信処理部１０５と言う。また、個別チャネル送信処理部１０５の内部構成をそれぞれ、変調部１３０および符号化部１３１と略記する。
【００１６】
また、共通チャネル送信処理部１０６は、変調部１４０および符号化部１４１を有する。
【００１７】
受信無線部１０２は、アンテナ１０１を介して受信した無線信号に対して、ダウンコンバートおよびＡ／Ｄ変換などを含む所定の受信処理を施し、ベースバンド信号を得る。
【００１８】
個別チャネル受信処理部１０３は、図２に示す移動局装置１５０が複数存在する場合に、移動局装置１５０のいずれかに対応づけられる。また、個別チャネル受信処理部１０３は、取得手段として、各無線受信装置１５０の受信品質情報を取得する。
【００１９】
より具体的には、個別チャネル受信処理部１０３において、ＦＦＴ部１２０は、受信無線部１０２の出力信号に対してＦＦＴを施し、復調部１２１は、ＦＦＴを施された信号に対して復調処理を施すことによって、対応する移動局装置１５０から個別チャネルを介して受信された信号を得る。
【００２０】
復号部１２２は、復調処理によって得られた信号を復号することによって、受信データおよび受信品質情報を得る。受信品質情報は、対応する移動局装置１５０から報告される情報であって、Ｎ個（Ｎは２以上の整数）のサブキャリアの平均受信品質を示す情報（以下「平均受信品質情報」と言う）およびサブキャリア毎の瞬時受信品質を示す情報（以下「サブキャリア毎品質情報」と言う）を含む。平均受信品質情報を得た場合は、平均受信品質情報を報告ユーザ指定部１０４に出力する。サブキャリア毎品質情報を得た場合は、サブキャリア毎品質情報を共通チャネルサブキャリア選択部１０７および受信品質最低値抽出部１０８に出力する。平均受信品質およびサブキャリア毎の瞬時受信品質については後述する。
【００２１】
報告ユーザ指定部１０４は、入力された平均受信品質情報のうち、マルチキャストデータまたはブロードキャストデータの対象受信者たる移動局装置１５０から報告された平均受信品質情報に基づいて、対象受信者たる移動局装置１５０の中から、サブキャリア毎品質情報を報告する移動局装置１５０を指定する。
【００２２】
より具体的には、報告ユーザ指定部１０４は、平均受信品質情報に示された平均受信品質を閾値設定部１１３から入力された報告判定閾値と比較し、対象受信者たる移動局装置１５０のうち、平均受信品質が報告判定閾値以下の移動局装置１５０を特定する。平均受信品質が報告判定閾値以下であるか否かを判定することにより、対象受信者たる移動局装置１５０のうち、例えばセル境界付近に位置するような劣悪な受信環境の移動局装置１５０を特定する。このようにして移動局装置１５０の指定を行う。指定の結果は、共通チャネルサブキャリア選択部１０７に通知される。
【００２３】
このように、平均受信品質が所定レベル（つまり報告判定閾値）以下の移動局装置１５０を特定するため、データの確実な配信が受信環境のために比較的難しい移動局装置１５０のサブキャリア毎品質情報に基づいて、サブキャリアの選択を行うことができ、データ配信の失敗を確実に防止することができる。また、セル境界付近に位置する移動局装置１５０を特定するため、データの確実な配信が地理的位置のために比較的難しい移動局装置１５０のサブキャリア毎品質情報に基づいて、サブキャリアの選択を行うことができ、データ配信の失敗を確実に防止することができる。
【００２４】
なお、本実施の形態では、基地局装置１００と無線通信を行う全ての移動局装置１５０が周期的に平均受信品質情報を報告することを前提としているが、移動局装置１５０が、平均受信品質が所定レベル以上のときには報告を行わなくとも良い。この場合、報告ユーザ指定部１０４は、平均受信品質情報の報告を行わなかった移動局装置１５０の平均受信品質が所定レベル以上であるものと判断し、その旨を示す平均受信品質情報を自ら生成する。これによって基地局装置１００と移動局装置１５０との間でのシグナリングの量を削減することができる。
【００２５】
また、報告ユーザ指定部１０４は、指定された移動局装置１５０に対応する個別チャネル送信処理部１０５に報告要求信号を出力する。報告要求信号は、指定された移動局装置１５０のみに対してサブキャリア毎品質情報の報告を要求する信号である。この場合、指定された移動局装置１５０のみにサブキャリア毎品質情報の報告を要求するため、サブキャリアの選択に要するシグナリングの量を削減することができる。
【００２６】
個別チャネル送信処理部１０５は、図２に示す移動局装置１５０が複数存在する場合に、移動局装置１５０のいずれかに対応づけられる。
【００２７】
個別チャネル送信処理部１０５において、符号化部１３１は、対応する移動局装置１５０宛てに個別チャネルで送信される送信データを符号化する。また、報告ユーザ指定部１０４から報告要求信号を受けた場合、報告要求信号を符号化する。符号化によって得られた信号は変調部１３０によって変調処理を施され、それから多重部１０９に出力される。
【００２８】
閾値設定部１１３は、対象受信者たる各移動局装置１５０においてサブキャリア毎品質情報の報告を行うか否かを判定するための報告判定閾値を設定する。設定された報告判定閾値は報告ユーザ指定部１０４に出力される。閾値設定部１１３は、設定する報告判定閾値を、例えば、対象受信者たる移動局装置１５０の総数に従って制御する。すなわち、対象受信者たる移動局装置１５０の総数が減少したときには報告判定閾値を上げ、総数が増加したときには報告判定閾値を下げる。報告判定閾値を上げると対象受信者たる全移動局装置１５０に対するサブキャリア毎品質情報を報告する移動局装置１５０の割合が増え、報告判定閾値を下げるとその割合は減る。したがって、前述のように報告判定閾値を制御することにより、サブキャリア毎品質情報を報告する移動局装置１５０の総数を一定に保つことができ、これにより、制御チャネルによる干渉を一定にすることができる。つまり自セルまたは他セルにおける容量を干渉により劣化させることがない。なお、閾値を十分大きくすれば対象受信者たる全移動局装置１５０がサブキャリア毎品質情報の報告を行う
ようになる。これは、孤立セル環境など上り回線の干渉が問題にならない場合などには有効である。
【００２９】
共通チャネル送信処理部１０６において、符号化部１４１は、対象受信者たる移動局装置１５０宛てに共通チャネルを介して送信される送信データを符号化する。符号化によって得られた信号は変調部１４０によって変調処理を施され、それから多重部１０９に出力される。
【００３０】
共通チャネルサブキャリア選択部１０７は、個別チャネル受信処理部１０３から入力される、報告ユーザ指定部１０４によって指定された移動局装置１５０、つまりサブキャリア毎品質情報を報告した移動局装置１５０に対応するサブキャリア毎品質情報に基づいて、Ｎ個のサブキャリアのいずれかを選択する。選択手順については後述する。
【００３１】
ここで、本実施の形態では、データのマルチキャストまたはブロードキャストに用いられる共通チャネルは、Ｎ個のサブキャリアによってＮ個のサブチャネルに周波数分割されており、分割されたＮ個の共通チャネルつまりサブチャネルは、周波数の互いに異なるＮ個のサブキャリアにそれぞれ対応している。したがって、共通チャネルサブキャリア選択部１０７は、選択されたサブキャリアによって特定された共通チャネルを、符号化部１４１によって符号化され変調部１４０によって変調された送信データのマルチキャストまたはブロードキャストに用いるサブキャリアとして決定する。すなわち、共通チャネルサブキャリア選択部１０７は、設定手段として、Ｎ個の共通チャネルのうち、データのマルチキャストまたはブロードキャストに用いる共通チャネルを、平均受信品質情報およびサブキャリア毎品質情報に基づいて切替可能に設定する。選択されたサブキャリアは多重部１０９に通知される。また、選択されたサブキャリアは対象受信者たる移動局装置１５０に対して個別チャネルまたは共通チャネルで別途通知される。
【００３２】
また、共通チャネルサブキャリア選択部１０７は、前述のとおり、入力されたサブキャリア毎品質情報のうち、指定された移動局装置１５０に対応するサブキャリア毎品質情報に基づいて、サブキャリアの選択を行うため、サブキャリアを選択するときに必要な情報量を削減することができ、最適なサブキャリアを効率的に選択することができるとともに、共通チャネルの設定を効率化することができる。
【００３３】
なお、指定された移動局装置１５０のいずれかに対応するサブキャリア毎品質情報が受信誤りなどのため入力されなかった場合、共通チャネルサブキャリア選択部１０７は、指定された移動局装置１５０に対応するサブキャリア毎品質情報のうち個別チャネル受信処理部１０３から入力されたもののみに基づいてサブキャリアの選択を行う。
【００３４】
受信品質最低値抽出部１０８は、個別チャネル受信処理部１０３から入力された各移動局装置１５０のサブキャリア毎品質情報に示されたサブキャリア毎の瞬時受信品質を用いて、共通チャネルサブキャリア選択部１０７で選択されたサブキャリアの瞬時受信品質のうち最低値を抽出する。抽出された最低値は送信電力制御部１１０に出力される。
【００３５】
多重部１０９は、個別チャネルおよび共通チャネルをそれぞれに対応づけられたサブキャリアに多重する。より具体的には、各移動局装置１５０に対応する個別チャネルを各移動局装置１５０用のサブキャリアに割り当てる。また、共通チャネルを、共通チャネルサブキャリア選択部１０７によって選択されたサブキャリアに割り当てる。なお、各サブキャリアの受信品質の測定に用いるための共通パイロットチャネルをコード分割多重や時分割多重により各サブキャリアに割り当てても良い。
【００３６】
送信電力制御部１１０は、個別チャネルまたは共通チャネルを割り当てられたサブキャ
リアが所定の受信品質を満たすように、個別チャネルおよび共通チャネルにそれぞれ送信電力リソースを割り当てることによって、個別チャネルおよび共通チャネルの送信電力を制御する。例えば、共通チャネルがデータのマルチキャストまたはブロードキャストにおける所要受信品質を満たすべく、受信品質最低値抽出部１０８から入力された情報を用いて送信電力の制御を行う。
【００３７】
ＩＦＦＴ部１１１は、送信電力を制御された各チャネルの信号に対してＩＦＦＴを行う。ＩＦＦＴを施された信号は、送信無線部１１２によって、Ｄ／Ａ変換およびアップコンバートなどを含む所定の送信処理を施され、アンテナ１０１を介して各移動局装置１５０に送信される。
【００３８】
移動局装置１５０は、アンテナ１５１、受信無線部１５２、ＦＦＴ部１５３、チャネル分離部１５４、共通チャネル受信処理部１５５、個別チャネル受信処理部１５６、平均受信品質測定部１５７、瞬時受信品質測定部１５９、個別チャネル送信処理部１６０および送信無線部１６１を有する。また、共通チャネル受信処理部１５５は、復調部１７０および復号部１７１を有する。個別チャネル受信処理部１５６は、復調部１８０および復号部１８１を有する。個別チャネル送信処理部１６０は、符号化部１９０、変調部１９１およびＩＦＦＴ部１９２を有する。
【００３９】
受信無線部１５２は、アンテナ１５１を介して受信した無線信号に対して、ダウンコンバートおよびＡ／Ｄ変換などを含む所定の受信処理を施す。受信処理を施された信号はＦＦＴ部１５３によってＦＦＴ処理を施され、チャネル分離部１５４に出力される。
【００４０】
チャネル分離部１５４は、ＦＦＴ部１５３から入力された信号について使用されたチャネルを判別する。そして、受信品質測定用のチャネルの信号を平均受信品質測定部１５７および瞬時受信品質測定部１５９に出力し、個別チャネルの信号を個別チャネル受信処理部１５６に出力し、共通チャネルの信号を共通チャネル受信処理部１５５に出力する。
【００４１】
共通チャネル受信処理部１５５において、復調部１７０は、チャネル分離部１５４から入力された信号に対して復調処理を施し、復号部１７１は、復調処理を施された信号を復号することによって、共通チャネルを用いて送信されたデータを得る。
【００４２】
個別チャネル受信処理部１５６において、復調部１８０は、チャネル分離部１５４から入力された信号に対して復調処理を施し、復号部１８１は、復号処理を施された信号を復号することによって、個別チャネルを用いて送信されたデータを得る。
【００４３】
基地局装置１００が当該移動局装置１５０に報告要求信号を送信した場合には、復号部１８１で復号を行うことによって報告要求信号が得られる。この場合には、復号部１８１は、報告要求信号を瞬時受信品質測定部１５９に出力する。
【００４４】
平均受信品質測定部１５７は、チャネル分離部１５４から入力された信号を用いて、Ｎ個のサブキャリアの平均受信品質（例えば、ＳＩＲの平均値、ＣＩＲの平均値など）を周期的に測定し、測定結果を示す平均受信品質情報を得て、これを符号化部１９０に出力する。よって、平均受信品質情報は、周期的に基地局装置１００に報告される。本実施の形態では、ハンドオーバの判断などＲＲＭ（Radio Resource Management）にも使われる平均受信品質情報を利用することもできる。この場合、新たな制御情報の伝送が不要になり伝送情報量の増加を防止することができる。
【００４５】
なお、前述のように、平均受信品質が所定レベル以上の場合には平均受信品質情報の報告を行わなくとも良い。これによって基地局装置１００と移動局装置１５０との間でのシ
グナリングの量を削減することができる。
【００４６】
瞬時受信品質測定部１５９は、チャネル分離部１５４から入力された信号を用いて、Ｎ個のサブキャリアの各々の瞬時受信品質（例えば、ＳＩＲ、ＣＩＲなど）を周期的に測定し、測定結果を示すサブキャリア毎品質情報を得る。また、報告要求信号が入力されない場合は、瞬時受信品質を測定しないか、または得られたサブキャリア毎品質情報を符号化部１９０に出力しない。一方、報告要求信号が入力された場合は、得られたサブキャリア毎品質情報を符号化部１９０に出力する。このようにしてサブキャリア毎品質情報は基地局装置１００に報告される。
【００４７】
個別チャネル送信処理部１６０において、符号化部１９０は、基地局装置１００宛てに個別チャネルを用いて送信する送信データを符号化する。また、平均受信品質測定部１５７から平均受信品質情報が入力された場合、平均受信品質情報を符号化する。また、瞬時受信品質測定部１５９からサブキャリア毎品質情報が入力された場合、サブキャリア毎品質情報を符号化する。符号化によって得られた信号は、変調部１９１によって変調処理を施され、それからＩＦＦＴ部１９２によってＩＦＦＴ処理を施される。送信無線部１６１は、ＩＦＦＴ処理を施された信号に対して、Ｄ／Ａ変換およびアップコンバートなどを含む所定の送信処理を施し、アンテナ１５１を介して基地局装置１００に送信する。
【００４８】
以下、上記構成を有する基地局装置１００および移動局装置１５０における動作について説明する。ここでは、基地局装置１００は、移動局装置１５０と同様の構成を有する５つの移動局装置１５０ａ、１５０ｂ、１５０ｃ、１５０ｄ、１５０ｅと無線通信を行う場合を例にとって説明する。
【００４９】
図３に示すように、移動局装置１５０ｃを除く４つの移動局装置１５０ａ、１５０ｂ、１５０ｄ、１５０ｅは、共通チャネルの受信を行っている、すなわち、これらはマルチキャストまたはブロードキャストの対象受信者である。移動局装置１５０ｃは、個別チャネルのみの受信を行っている、すなわち、これはマルチキャストおよびブロードキャストの対象受信者ではない。また、３つの移動局装置１５０ｂ、１５０ｄ、１５０ｅは、セル境界付近に位置している。一方、移動局装置１５０ａ、１５０ｃは、移動局装置１５０ｂ、１５０ｄ、１５０ｅに比べて基地局装置１００までの離間距離が短く、セル境界付近には位置していない。
【００５０】
まず、各移動局装置１５０ａ〜１５０ｅは、平均受信品質測定部１５７で測定した平均受信品質情報を基地局装置１００に報告する。
【００５１】
そして、基地局装置１００は、報告ユーザ指定部１０４で、いずれかの対象受信者を指定する。具体的には、対象受信者たる移動局装置１５０ａ、１５０ｂ、１５０ｄ、１５０ｅから報告された各平均受信品質情報に示された平均受信品質が所定レベル以下であるか否かを判定する。これによって、セル境界付近に位置する劣悪な受信環境の対象受信者つまり移動局装置１５０ｂ、１５０ｄ、１５０ｅを特定する。
【００５２】
また、測定した平均受信品質が報告判定閾値以下になっている移動局装置（例えば、移動局装置１５０ｂ、１５０ｄ、１５０ｅ）は、瞬時受信品質測定部１５９で得たサブキャリア毎品質情報を基地局装置１００に報告する。
【００５３】
そして、基地局装置１００は、共通チャネルサブキャリア選択部１０７で、報告された全てのサブキャリア毎品質情報のうち、移動局装置１５０ｂ、１５０ｄ、１５０ｅから報告されたサブキャリア毎品質情報に基づいて、使用する共通チャネルを特定するためのサブキャリアを選択する。報告されたサブキャリア毎品質情報には、図４に示すように、選
択候補としての複数のサブキャリア＃１〜＃６と、各サブキャリア＃１〜＃６の各瞬時受信品質と、が示されている。
【００５４】
ここで、共通チャネルサブキャリア選択部１０７でのサブキャリア選択手順について詳述する。
【００５５】
まず、各移動局装置１５０ｂ、１５０ｄ、１５０ｅでのサブキャリア毎の瞬時受信品質の中で最も低いものをサブキャリア毎に抽出する。すなわち、サブキャリア＃１については移動局装置１５０ｅでの瞬時受信品質（−３ｄＢ）であり、サブキャリア＃２については移動局装置１５０ｂでの瞬時受信品質（２ｄＢ）であり、サブキャリア＃３については移動局装置１５０ｂでの瞬時受信品質（−５ｄＢ）であり、サブキャリア＃４については移動局装置１５０ｅでの瞬時受信品質（−４ｄＢ）であり、サブキャリア＃５については移動局装置１５０ｅでの瞬時受信品質（−５ｄＢ）であり、サブキャリア＃６については移動局装置１５０ｄでの瞬時受信品質（−５ｄＢ）である。
【００５６】
さらに、サブキャリア毎に抽出された受信品質の中で最も高いものを抽出する。すなわち、サブキャリア＃２についての瞬時受信品質（２ｄＢ）が抽出される。そして、最終的に抽出された瞬時受信品質に対応するサブキャリア＃２を選択する。こうすることによって、マルチキャストまたはブロードキャストに必要な送信電力を最小限に抑えつつ、指定された移動局装置１５０ｂ、１５０ｄ、１５０ｅを含む全ての対象受信者に対して確実にデータを配信することができる。
【００５７】
このようにして選択されたサブキャリア＃２は、多重部１０９に通知され、多重部１０９では、共通チャネルをサブキャリア＃２に割り当てる。
【００５８】
そして、送信電力制御部１１０で、抽出された瞬時受信品質に基づいて、所定の基地局最大送信電力リソースを、図５に示すように、共通チャネルの送信電力および個別チャネルの送信電力に振り分けることによって、各チャネルの送信電力を設定する。
【００５９】
このように、本実施の形態によれば、分割された複数の共通チャネル（サブチャネル）のうち、マルチキャストまたはブロードキャストに用いる共通チャネル（サブチャネル）を、マルチキャストまたはブロードキャストの対象受信者たる各移動局装置１５０の受信品質情報に基づいて切替可能に設定するため、各移動局装置１５０に対して確実にデータを配信可能な最小の送信電力でマルチキャストまたはブロードキャストを行える共通チャネル（サブチャネル）に切り替えつつマルチキャストまたはブロードキャストを行うことができ、つまりマルチキャストまたはブロードキャストに必要な送信電力を最小限に抑えることができ、よって、システム容量または個別チャネル収容量を増大し、且つ、対象受信者たる移動局装置１５０に対して確実にデータを配信することができる。
【００６０】
また、本実施の形態によれば、周波数が互いに異なる複数のサブキャリアのいずれかを選択し、選択されたサブキャリアによって特定された共通チャネル（サブチャネル）を、マルチキャストまたはブロードキャストに用いる共通チャネル（サブチャネル）として決定するため、マルチキャストまたはブロードキャストにマルチキャリア伝送方式を適用することによって、前述の作用効果を実現することができる。
【００６１】
なお、本実施の形態では、共通チャネルが周波数分割された場合を例にとって説明した。ただし、共通チャネルの分割方式はこれに限定されない。例えば、共通チャネルが時分割された場合においても、前述の作用効果を実現することができ、共通チャネルが空間分割された場合においても、前述の作用効果を実現することができる。共通チャネルが時分割された場合は、受信品質情報に基づいて複数のタイムスロットのいずれかを選択し、選
択されたタイムスロットによって特定された共通チャネル（サブチャネル）を使用する。また、共通チャネルが空間分割された場合は、受信品質情報に基づいて複数のアンテナのいずれかを選択し、選択されたアンテナによって特定された共通チャネル（サブチャネル）を使用する。こうすることによって、前述の作用効果を実現することができる。
【００６２】
（実施の形態２）
図６は、本発明の実施の形態２に係る無線送信装置を適用した基地局装置の構成を示すブロック図である。また、図７は、本発明の実施の形態２に係る移動局装置の構成を示すブロック図である。なお、図６に示す基地局装置２００および図７に示す移動局装置２５０は、図１に示す基地局装置１００および図２に示す移動局装置１５０とそれぞれ同様の基本的構成を有しており、同一の構成要素には同一の参照符号を付し、その詳細な説明を省略する。
【００６３】
基地局装置２００は、基地局装置１００における個別チャネル受信処理部１０３−１〜１０３−Ｋ、報告ユーザ指定部１０４、共通チャネルサブキャリア選択部１０７および送信電力制御部１１０の代わりに、個別チャネル受信処理部２０１−１、…、２０１−Ｋ、報告ユーザ指定部２０２、共通チャネルサブキャリア選択部２０４および送信電力制御部２０５を有する。また、基地局装置２００には、受信品質最低値抽出部１０８が設けられていない。
【００６４】
また、個別チャネル受信処理部２０１−１は、実施の形態１で説明したＦＦＴ部１２０−１および復調部１２１−１ならびに復号部２２０−１を有する。個別チャネル受信処理部２０１−１〜２０１−Ｋは、同じ内部構成を有するため、以下の説明では、個別チャネル受信処理部２０１−１〜２０１−Ｋの中の任意のものを個別チャネル受信処理部２０１と言う。また、個別チャネル受信処理部２０１の内部構成をそれぞれ、ＦＦＴ部１２０、復調部１２１および復号部２２０と略記する。
【００６５】
個別チャネル受信処理部２０１は、移動局装置２５０が複数存在する場合に、移動局装置２５０のいずれかに対応づけられる。また、個別チャネル受信処理部２０１は、各無線受信装置２５０の受信品質情報を取得する。
【００６６】
より具体的には、個別チャネル受信処理部２０１において、復号部２２０は、復調処理によって得られた信号を復号することによって、受信データおよび受信品質情報を得る。受信品質情報は、対応する移動局装置２５０から報告される情報であって、平均受信品質情報および最良サブキャリア情報を含む。平均受信品質情報を得た場合は、平均受信品質情報を報告ユーザ指定部２０２および送信電力制御部２０５に出力する。最良サブキャリア情報を得た場合は、最良サブキャリア情報を共通チャネルサブキャリア選択部２０４に出力する。最良サブキャリア情報については後述する。
【００６７】
報告ユーザ指定部２０２は、入力された平均受信品質情報のうち、対象受信者たる移動局装置２５０から報告された平均受信品質情報に基づいて、対象受信者たる移動局装置２５０のいずれかを指定する。
【００６８】
より具体的には、報告ユーザ指定部２０２は、対象受信者たる移動局装置２５０のうち、平均受信品質情報に示された平均受信品質が最も低い移動局装置２５０を特定する。例えば、どの移動局装置２５０の平均受信品質が最も低いかを判定し、対象受信者たる移動局装置２５０のうち、基地局装置２００から最も遠く離れた場所に位置し、劣悪な受信環境の移動局装置２５０を特定する。また、例えば、前述の判定を行うことによって、データのマルチキャストまたはブロードキャストを行うときに必要な送信電力が対象受信者たる移動局装置２５０の中で最も大きい移動局装置１５０を特定する。このようにして移動
局装置１５０の指定を行う。指定の結果は、共通チャネルサブキャリア選択部２０４に通知される。
【００６９】
なお、本実施の形態では、基地局装置２００と無線通信を行う全ての移動局装置２５０が周期的に平均受信品質情報を報告することを前提としているが、移動局装置２５０が、平均受信品質が所定レベル以上のときには報告を行わなくとも良い。この場合、報告ユーザ指定部２０２は、平均受信品質情報の報告を行わなかった移動局装置２５０の平均受信品質が所定レベル以上であるものと判断し、その旨を示す平均受信品質情報を自ら生成する。これによって基地局装置２００と移動局装置２５０との間でのシグナリングの量を削減することができる。
【００７０】
また、報告ユーザ指定部２０２は、指定された移動局装置２５０に対応する個別チャネル送信処理部１０５に報告要求信号を出力する。報告要求信号は、指定された移動局装置２５０のみに対して最良サブキャリア情報の報告を要求する信号である。このように、指定された移動局装置２５０のみにサブキャリアの報告を要求するため、サブキャリアの選択に要するシグナリングの量を最小限まで削減することができる。
【００７１】
共通チャネルサブキャリア選択部２０４は、個別チャネル受信処理部２０１から入力された最良サブキャリア情報であって、報告ユーザ指定部２０２によって指定された移動局装置２５０に対応する最良サブキャリア情報に基づいて、Ｎ個のサブキャリアのいずれかを選択する。より具体的には、最良サブキャリア情報に示されたサブキャリアを選択する。最良サブキャリア情報に示されるサブキャリアは、Ｎ個のサブキャリアの中で、瞬時受信品質の最も高いサブキャリアであり、換言すれば、マルチキャストまたはブロードキャストを行うときに必要な送信電力が最も小さいサブキャリアである。
【００７２】
このように、最も瞬時受信品質の高いサブキャリアを選択するため、または、マルチキャストまたはブロードキャストを行うときに必要な送信電力が最も小さいサブキャリアを選択するため、指定された移動局装置２５０を含む全ての対象受信者に対して確実にデータを配信するのに必要な送信電力を最小限に抑えることができる。
【００７３】
ここで、本実施の形態では、実施の形態１と同様に、データのマルチキャストまたはブロードキャストに用いられる共通チャネルは、Ｎ個のサブキャリアによってＮ個のサブチャネルに周波数分割されており、分割されたＮ個の共通チャネルつまりサブチャネルは、周波数の互いに異なるＮ個のサブキャリアにそれぞれ対応している。したがって、共通チャネルサブキャリア選択部２０４は、選択されたサブキャリアによって特定された共通チャネルを、符号化部１４１によって符号化され変調部１４０によって変調された送信データのマルチキャストまたはブロードキャストに用いるサブキャリアとして決定する。すなわち、共通チャネルサブキャリア選択部２０４は、Ｎ個の共通チャネルのうち、データのマルチキャストまたはブロードキャストに用いる共通チャネルを、平均受信品質情報および最良サブキャリア情報に基づいて切替可能に設定する。選択されたサブキャリアは多重部１０９に通知される。また、選択されたサブキャリアは対象受信者たる移動局装置２５０に対して個別チャネルまたは共通チャネルで別途通知される。
【００７４】
また、共通チャネルサブキャリア選択部２０４は、前述のとおり、指定された移動局装置２５０つまり最も遠くに位置する移動局装置２５０のみに対応する最良サブキャリア情報に基づいて、サブキャリアの選択を行うため、サブキャリアを選択するときに必要な情報量を削減することができ、最適なサブキャリアを効率的に選択することができるとともに、共通チャネルの設定を効率化することができる。
【００７５】
送信電力制御部２０５は、個別チャネルまたは共通チャネルを割り当てられたサブキャ
リアが所定の受信品質を満たすように、個別チャネルおよび共通チャネルにそれぞれ送信電力リソースを割り当てることによって、個別チャネルおよび共通チャネルの送信電力を制御する。ここでは、報告ユーザ指定部２０２で指定された移動局装置２５０から報告された平均受信品質を用いて共通チャネルの送信電力を制御する。
【００７６】
移動局装置２５０には、移動局装置１５０の構成に加えて、サブキャリア選択部２５１を有する。
【００７７】
サブキャリア選択部２５１は、瞬時受信品質測定部１５９によって得られたサブキャリア毎品質情報を用いて、瞬時受信品質が最も高いサブキャリアを特定する。そして、特定されたサブキャリアを示す最良サブキャリア情報を生成し、これを符号化部１９０に出力する。なお、本実施の形態では、瞬時受信品質測定部１５９によって得られたサブキャリア毎品質情報は符号化部１９０に出力されない。
【００７８】
以下、上記構成を有する基地局装置２００および移動局装置２５０における動作について説明する。ここでは、基地局装置２００は、移動局装置２５０と同様の構成を有する３つの移動局装置２５０ａ、２５０ｂ、２５０ｃと無線通信を行う場合を例にとって説明する。
【００７９】
図８に示すように、移動局装置２５０ｃを除く２つの移動局装置２５０ａ、２５０ｂは、共通チャネルの受信を行っている、すなわち、これらはマルチキャストまたはブロードキャストの対象受信者である。移動局装置２５０ｃは、個別チャネルのみの受信を行っている、すなわち、これはマルチキャストおよびブロードキャストの対象受信者ではない。また、基地局装置２００から移動局装置２５０ｂまでの離間距離Ｄｂは、基地局装置２００から移動局装置２５０ａまでの離間距離Ｄａよりも長い。
【００８０】
まず、各移動局装置２５０ａ〜２５０ｃは、平均受信品質測定部１５７で測定した平均受信品質情報を基地局装置２００に報告する。
【００８１】
そして、基地局装置２００は、報告ユーザ指定部２０２で、いずれかの対象受信者を指定する。具体的には、対象受信者たる移動局装置２５０ａ、２５０ｂから報告された各平均受信品質情報に示された平均受信品質を比較する。移動局装置２５０ａの平均受信品質は、図９Ａに示すとおり約１０ｄＢであり、移動局装置２５０ｂの平均受信品質は、図９Ｂに示すとおり約２ｄＢである。したがって、報告ユーザ指定部２０２は、比較の結果として、最も遠く離れた場所に位置する対象受信者つまり移動局装置２５０ｂを特定する。
【００８２】
続いて、報告ユーザ指定部２０２で報告要求信号を出力することによって、基地局装置２００から移動局装置２５０ｂに最良サブキャリア情報の報告を要求する。
【００８３】
そして、移動局装置２５０ｂは、サブキャリア選択部２５１で最良サブキャリア情報を生成する。移動局装置２５０ｂでの瞬時受信品質が最も良いサブキャリアはサブキャリア＃２であるので、サブキャリア＃２を示す最良サブキャリア情報を基地局装置２００に報告する。
【００８４】
そして、基地局装置２００は、共通チャネルサブキャリア選択部２０４で、報告された最良サブキャリア情報に示されたサブキャリア＃２を選択する。
【００８５】
このようにして選択されたサブキャリア＃２は、多重部１０９に通知され、多重部１０９では、共通チャネルをサブキャリア＃２に割り当てる。
【００８６】
そして、送信電力制御部２０５で、報告された平均受信品質に基づいて、所定の基地局最大送信電力リソースを、共通チャネルの送信電力および個別チャネルの送信電力に振り分けることによって、各チャネルの送信電力を設定する。
【００８７】
このように、本実施の形態では、平均受信品質が最も低い移動局装置２５０を特定するため、データの確実な配信が受信環境のために最も難しい移動局装置２５０の最良サブキャリア情報に基づいて、サブキャリアの選択を行うことができ、データ配信の失敗を確実に防止することができる。また、基地局装置２００から最も遠くに位置する移動局装置２５０を特定するため、データの確実な配信が地理的位置のために最も難しい移動局装置２５０の最良サブキャリア情報に基づいて、サブキャリアの選択を行うことができ、データ配信の失敗を確実に防止することができる。また、データのマルチキャストまたはブロードキャストを行うときに必要な送信電力が最も大きい移動局装置２５０を特定するため、データの確実な配信に最も大きい送信電力を要する移動局装置２５０の最良サブキャリア情報に基づいて、サブキャリアの選択を行うことができ、送信電力が共通チャネルに無駄に割り当てられることを防止することができる。
【００８８】
また、本実施の形態によれば、指定される移動局装置２５０の数が１個に限定されるため、制御全体に使用される情報量を実施の形態１に比して削減することができる。
【００８９】
なお、本実施の形態では、共通チャネルが周波数分割された場合を例にとって説明した。ただし、共通チャネルの分割方式はこれに限定されない。例えば、共通チャネルが時分割された場合においても、前述の作用効果を実現することができ、共通チャネルが空間分割された場合においても、前述の作用効果を実現することができる。共通チャネルが時分割された場合は、受信品質情報に基づいて複数のタイムスロットのいずれかを選択し、選択されたタイムスロットによって特定された共通チャネル（サブチャネル）を使用する。また、共通チャネルが空間分割された場合は、受信品質情報に基づいて複数のアンテナのいずれかを選択し、選択されたアンテナによって特定された共通チャネル（サブチャネル）を使用する。こうすることによって、前述の作用効果を実現することができる。
【００９０】
また、本実施の形態では、瞬時受信品質が最も高いサブキャリアのみの報告を要求し、瞬時受信品質が最も高いサブキャリアのみを報告し、報告されたサブキャリアを選択する構成について説明した。ただし、サブキャリアを選択するための構成はこれだけに限定されない。例えば、Ｎ個のサブキャリアの中で瞬時受信品質が上位である所定数のサブキャリアの報告が基地局装置２００から移動局装置２５０に要求され、要求された所定数のサブキャリアが選択候補として移動局装置２５０から基地局装置２００に報告され、報告された所定数のサブキャリアのいずれかを基地局装置２００で選択する、という構成の場合でも、前述の作用効果を実現することができる。さらにこの場合、移動局装置２５０から提示された複数のサブキャリアの中のいずれかを適応的に選択することができる。
【００９１】
（実施の形態３）
図１０は、本発明の実施の形態３に係る無線送信装置を適用した基地局装置の構成を示すブロック図であり、図１１は、この基地局装置と無線通信を行う移動局装置の構成を示すブロック図である。図１０に示す基地局装置３００および図１１に示す移動局装置３５０はそれぞれＯＦＤＭ方式を採用している。なお、基地局装置３００および移動局装置３５０はそれぞれ、実施の形態１で説明した基地局装置１００および移動局装置１５０と同様の基本的構成を有するため、以下の説明では、実施の形態１と同一の構成要素には同一の参照符号を付し、その詳細な説明を省略する。
【００９２】
基地局装置３００は、実施の形態１で説明したアンテナ１０１、受信無線部１０２、個別チャネル受信処理部１０３−１〜１０３−Ｋ、個別チャネル送信処理部１０５−１〜１
０５−Ｋ、受信品質最低値抽出部１０８、多重部１０９、送信電力制御部１１０、ＩＦＦＴ部１１１および送信無線部１１２に加えて、共通チャネル送信処理部３０６および共通チャネルサブキャリア選択部３０７を有する。
【００９３】
共通チャネル送信処理部３０６は、実施の形態１で説明した変調部１４０に加えて、符号化部３４１および閾値設定部３４２を有する。
【００９４】
共通チャネル送信処理部３０６において、閾値設定部３４２は、対象受信者たる各移動局装置３５０においてサブキャリア毎品質情報の報告を行うか否かを判定するための報告判定閾値を設定する。設定された報告判定閾値は符号化部３４１に出力される。このようにして、閾値設定部３４２は、報告判定閾値を、対象受信者たる全ての移動局装置３５０に通知する。本実施の形態では、報告判定閾値の通知は共通チャネルを用いて行われる。このように、対象受信者たる各移動局装置３５０に対して報告判定閾値を通知するため、通知を受けた各移動局装置３５０に、サブキャリア毎受信品質を報告するか否かを判定させることができ、サブキャリアを選択する上で必ずしも必要でないシグナリングを回避することができ、シグナリングの量を削減することができる。
【００９５】
また、閾値設定部３４２は、報告判定閾値の設定を、例えば、対象受信者たる移動局装置３５０の総数に従って制御しても良い。すなわち、対象受信者たる移動局装置３５０の総数が減少したときには報告判定閾値を上げ、総数が増加したときには報告判定閾値を下げる。閾値を上げると対象受信者たる全移動局装置３５０に対するサブキャリア毎品質情報を報告する移動局装置３５０の割合が増え、閾値を下げるとその割合は減る。したがって、前述のように報告判定閾値を制御することにより、サブキャリア毎品質情報を報告する移動局装置３５０の総数を一定に保つことができ、これにより、制御チャネルによる干渉を一定にすることができる。つまり自セルまたは他セルにおける容量を干渉により劣化させることがない。なお、閾値を十分大きくすれば対象受信者たる全移動局装置３５０がサブキャリア毎品質情報の報告を行うようになる。これは、孤立セルなど上り回線の干渉が問題にならない場合などには有効である。
【００９６】
符号化部３４１は、対象受信者たる移動局装置３５０宛てに共通チャネルを介して送信される送信データを符号化する。また、閾値設定部３４２から報告判定閾値が入力された場合は、報告判定閾値を符号化する。符号化によって得られた信号は変調部１４０によって変調処理を施され、それから多重部１０９に出力される。
【００９７】
共通チャネルサブキャリア選択部３０７は、サブキャリア毎品質情報を報告してきた移動局装置３５０に対応する個別チャネル受信処理部１０３から入力されたサブキャリア毎品質情報に基づいて、Ｎ個のサブキャリアのいずれかを選択する。選択手順は実施の形態１と同様である。
【００９８】
ここで、本実施の形態では、実施の形態１と同様に、データのマルチキャストまたはブロードキャストに用いられる共通チャネルは、Ｎ個のサブキャリアによってＮ個のサブチャネルに周波数分割されており、分割されたＮ個の共通チャネルつまりサブチャネルは、周波数の互いに異なるＮ個のサブキャリアにそれぞれ対応している。したがって、共通チャネルサブキャリア選択部３０７は、選択されたサブキャリアによって特定された共通チャネルを、符号化部３４１によって符号化され変調部１４０によって変調された送信データのマルチキャストまたはブロードキャストに用いるサブキャリアとして決定する。すなわち、共通チャネルサブキャリア選択部３０７は、Ｎ個の共通チャネルのうち、データのマルチキャストまたはブロードキャストに用いる共通チャネルを、平均受信品質情報およびサブキャリア毎品質情報に基づいて切替可能に設定する。選択されたサブキャリアは多重部１０９に通知される。また、選択されたサブキャリアは対象受信者たる移動局装置３
５０に対して個別チャネルまたは共通チャネルで別途通知される。
【００９９】
なお、個別チャネル受信処理部１０３からサブキャリア毎品質情報が入力されなかった場合つまりどの移動局装置３５０からもサブキャリア毎品質情報が報告されなかった場合には、Ｎ個のサブキャリアの中からランダムにサブキャリアを選択する。
【０１００】
また、共通チャネルサブキャリア選択部３０７は、サブキャリア毎品質情報を報告してきた移動局装置３５０に対応するサブキャリア毎品質情報に基づいて、サブキャリアの選択を行うため、サブキャリアを選択するときに必要な情報量を削減することができ、最適なサブキャリアを効率的に選択することができるとともに、共通チャネルの設定を効率化することができる。
【０１０１】
移動局装置３５０は、実施の形態１で説明したアンテナ１５１、受信無線部１５２、ＦＦＴ部１５３、チャネル分離部１５４、個別チャネル受信処理部１５６、平均受信品質測定部１５７、個別チャネル送信処理部１６０および送信無線部１６１に加えて、共通チャネル受信処理部３５５、報告判定部３５８および瞬時受信品質測定部３５９を有する。また、共通チャネル受信処理部３５５は、実施の形態１で説明した復調部１７０の他に、復号部３７１を有する。
【０１０２】
共通チャネル受信処理部３５５において、復調部１７０は、チャネル分離部１５４から入力された信号に対して復調処理を施し、復号部３７１は、復調処理を施された信号を復号することによって、共通チャネルを用いて送信されたデータを得る。また、復号を行うことによって基地局装置３００から送信された報告判定閾値が得られた場合には、復号部３７１は、報告判定閾値を報告判定部３５８に出力する。
【０１０３】
報告判定部３５８は、平均受信品質測定部１５７によって周期的に測定された平均受信品質を、復号部３７１から入力された報告判定閾値と比較する。すなわち、本実施の形態では、平均受信品質測定部１５７で得られた平均受信品質情報は、符号化部１９０には入力されず、報告判定部３５８に入力される。
【０１０４】
報告判定部３５８は、前述の比較を行うことによって、瞬時受信品質測定部３５９によって得られたサブキャリア毎品質情報を基地局装置３００に報告するか否かを判定する。すなわち、測定された平均受信品質が報告判定閾値以下であればサブキャリア毎品質情報を基地局装置３００に報告し、報告判定閾値より良ければ報告しないと判定する。判定結果は瞬時受信品質測定部３５９へ出力される。
【０１０５】
瞬時受信品質測定部３５９は、チャネル分離部１５４から入力された信号を用いて、Ｎ個のサブキャリアの各々の瞬時受信品質を周期的に測定し、測定結果を示すサブキャリア毎品質情報を得る。ここで、報告判定部３５８から入力される判定結果が報告しないという判定の場合は、瞬時受信品質を測定しないか、または得られたサブキャリア毎品質情報を符号化部１９０に出力しない。一方、報告するという判定の場合は、得られたサブキャリア毎品質情報を符号化部１９０に出力する。このようにして報告すると判定された移動局装置３５０のサブキャリア毎品質情報が基地局装置３００に報告される。
【０１０６】
以下、上記構成を有する基地局装置３００および移動局装置３５０における動作について説明する。ここでは、基地局装置３００は、移動局装置３５０と同様の構成を有する５つの移動局装置３５０ａ、３５０ｂ、３５０ｃ、３５０ｄ、３５０ｅと無線通信を行う場合を例にとって説明する。
【０１０７】
実施の形態１と同様に、図１２に示すように、移動局装置３５０ｃを除く４つの移動局
装置３５０ａ、３５０ｂ、３５０ｄ、３５０ｅは、共通チャネルの受信を行っている、すなわち、これらはマルチキャストまたはブロードキャストの対象受信者である。移動局装置３５０ｃは、個別チャネルのみの受信を行っている、すなわち、これはマルチキャストおよびブロードキャストの対象受信者ではない。また、３つの移動局装置３５０ｂ、３５０ｄ、３５０ｅは、セル境界付近に位置している。一方、移動局装置３５０ａ、３５０ｃは、移動局装置３５０ｂ、３５０ｄ、３５０ｅに比べて基地局装置３００までの離間距離が短く、セル境界付近には位置していない。
【０１０８】
まず、基地局装置３００は、移動局装置３５０ａ、３５０ｂ、３５０ｄ、３５０ｅに対して、共通チャネルを用いて報告判定閾値を通知する。移動局装置３５０ａ、３５０ｂ、３５０ｄ、３５０ｅの各々は、報告判定部３５８において、平均受信品質測定部１５７で測定した平均受信品質情報と基地局装置３００から通知された報告判定閾値とを比較し、測定された平均受信品質が報告判定閾値以下であればサブキャリア毎品質情報を基地局装置３００に報告し、報告判定閾値より良ければ報告しない。ここでは、セル境界付近に位置する対象受信者つまり移動局装置３５０ｂ、３５０ｄ、３５０ｅがサブキャリア毎品質情報を基地局装置３００に報告している。
【０１０９】
そして、基地局装置３００は、共通チャネルサブキャリア選択部３０７で、報告された全てのサブキャリア毎品質情報のうち、移動局装置３５０ｂ、３５０ｄ、３５０ｅから報告されたサブキャリア毎品質情報に基づいて、使用する共通チャネルを特定するためのサブキャリアを選択する。サブキャリア毎品質情報は、実施の形態１と同様のものであり、共通チャネルサブキャリア選択部３０７でのサブキャリア選択手順についても、実施の形態１と同様である。
【０１１０】
なお、どの移動局装置３５０からもサブキャリア毎受信品質情報が報告されない、つまり全ての移動局装置３５０で測定した平均受信品質が報告判定閾値以上である場合には、共通チャネル用のＮ個のサブキャリアからランダムにサブキャリアを選択する。
【０１１１】
このように、本実施の形態によれば、分割された複数の共通チャネル（サブチャネル）のうち、マルチキャストまたはブロードキャストに用いる共通チャネル（サブチャネル）を、マルチキャストまたはブロードキャストの対象受信者たる各移動局装置３５０の受信品質情報に基づいて切替可能に設定するため、各移動局装置３５０に対して確実にデータを配信可能な最小の送信電力でマルチキャストまたはブロードキャストを行える共通チャネル（サブチャネル）に切り替えつつマルチキャストまたはブロードキャストを行うことができ、つまりマルチキャストまたはブロードキャストに必要な送信電力を最小限に抑えることができ、よって、システム容量または個別チャネル収容量を増大し、且つ、対象受信者たる移動局装置３５０に対して確実にデータを配信することができる。
【０１１２】
また、本実施の形態によれば、周波数が互いに異なる複数のサブキャリアのいずれかを選択し、選択されたサブキャリアによって特定された共通チャネル（サブチャネル）を、マルチキャストまたはブロードキャストに用いる共通チャネル（サブチャネル）として決定するため、マルチキャストまたはブロードキャストにマルチキャリア伝送方式を適用することによって、前述の作用効果を実現することができる。
【０１１３】
また、本実施の形態においては、移動局装置３５０がサブキャリア毎品質情報を基地局装置３００に報告するかどうかを判定し、報告不要であれば報告しない。これにより不要な情報伝送を回避することができ、上り回線の干渉量を減少させることができ、その結果システム容量を向上させることができる。
【０１１４】
なお、本実施の形態では、共通チャネルが周波数分割された場合を例にとって説明した
。ただし、共通チャネルの分割方式はこれに限定されない。例えば、共通チャネルが時分割された場合においても、前述の作用効果を実現することができ、共通チャネルが空間分割された場合においても、前述の作用効果を実現することができる。共通チャネルが時分割された場合は、受信品質情報に基づいて複数のタイムスロットのいずれかを選択し、選択されたタイムスロットによって特定された共通チャネル（サブチャネル）を使用する。また、共通チャネルが空間分割された場合は、受信品質情報に基づいて複数のアンテナのいずれかを選択し、選択されたアンテナによって特定された共通チャネル（サブチャネル）を使用する。こうすることによって、前述の作用効果を実現することができる。
【０１１５】
なお、上記各実施の形態における基地局装置はNode Bと、移動局装置はUEと、サブキャリアはトーンと表されることがある。
【０１１６】
また、上記各実施の形態においては、サブキャリア単位で受信品質の測定やチャネルの選択を行っていたが、複数のサブキャリアを束ねたサブキャリアブロックやチャンク（Chunk）単位で行っても良い。
【０１１７】
また、上記各実施の形態において、受信品質は受信ＳＩＲや受信ＣＩＲにより推定するものとしたがこれに限らず、受信ＳＮＲ、受信ＳＩＲ、受信ＳＩＮＲ、受信ＣＩＮＲ、受信電力、干渉電力、ビット誤り率、スループット、所定の誤り率を達成できるＭＣＳ（変調方式と符号化率の組み合わせ）、などにより推定しても良い。
【０１１８】
また、上記各実施の形態の説明に用いた各機能ブロックは、典型的には集積回路であるＬＳＩとして実現される。これらは個別に１チップ化されても良いし、一部又は全てを含むように１チップ化されても良い。
【０１１９】
ここでは、ＬＳＩとしたが、集積度の違いにより、ＩＣ、システムＬＳＩ、スーパーＬＳＩ、ウルトラＬＳＩと呼称されることもある。
【０１２０】
また、集積回路化の手法はＬＳＩに限るものではなく、専用回路又は汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用しても良い。
【０１２１】
さらには、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてありえる。
【０１２２】
本明細書は、２００４年７月３０日出願の特願２００４−２２４７６４に基づく。この内容はすべてここに含めておく。
【産業上の利用可能性】
【０１２３】
本発明の無線送信装置および無線送信方法は、移動体通信システムにおいてマルチキャストまたはブロードキャストを行うのに有用である。
【図面の簡単な説明】
【０１２４】
【図１】本発明の実施の形態１に係る基地局装置の構成を示すブロック図
【図２】本発明の実施の形態１に係る移動局装置の構成を示すブロック図
【図３】本発明の実施の形態１に係る基地局装置および移動局装置における動作を説明するための図
【図４】本発明の実施の形態１に係るサブキャリア毎品質情報を説明するための図
【図５】本発明の実施の形態１における各チャネルの送信電力設定を説明するための図
【図６】本発明の実施の形態２に係る基地局装置の構成を示すブロック図
【図７】本発明の実施の形態２に係る移動局装置の構成を示すブロック図
【図８】本発明の実施の形態２に係る基地局装置および移動局装置における動作を説明するための図
【図９Ａ】本発明の実施の形態２に係る受信品質情報の一例を示す図
【図９Ｂ】本発明の実施の形態２に係る受信品質情報の他の例を示す図
【図１０】本発明の実施の形態３に係る基地局装置の構成を示すブロック図
【図１１】本発明の実施の形態３に係る移動局装置の構成を示すブロック図
【図１２】本発明の実施の形態３に係る基地局装置および移動局装置における動作を説明するための図
【図１】
0004624355.tif 000002
【図２】
0004624355.tif 000003
【図３】
0004624355.tif 000004
【図４】
0004624355.tif 000005
【図５】
0004624355.tif 000006
【図６】
0004624355.tif 000007
【図７】
0004624355.tif 000008
【図８】
0004624355.tif 000009
【図９Ａ】
0004624355.tif 000010
【図９Ｂ】
0004624355.tif 000011
【図１０】
0004624355.tif 000012
【図１１】
0004624355.tif 000013
【図１２】
0004624355.tif 000014